(57)【要約】【課題】  排泄物の漏れが生じにくいペット用使い捨ておむつおよびペット用使い捨ておむつに用いられる補助体を提供する。【解決手段】  ペット用使い捨ておむつＡは、ペットＰの胴周りに着脱自在に装着されるおむつ本体２００と、ペットＡの股下に配置されるとともにおむつ本体２００に対し着脱自在に装着される補助体１００とにより形成される。おむつ本体２００は、おむつ頭部側開口２３１と、おむつ尻尾側開口２４１とを有する。補助体１００は、おむつ背側領域２１０に配置される補助体背側領域１１０と、おむつ腹側領域２２０に配置される補助体腹側領域１２０と、尻尾挿通用開口１３０とを有する。【選択図】  図１
2014226111.tif 000002
【特許請求の範囲】
【請求項１】
ペット用使い捨ておむつであって、
前記ペット用使い捨ておむつは、ペットの胴周りに着脱自在に装着されるおむつ本体と、前記ペットの股下に配置されるとともに前記おむつ本体に対し着脱自在に装着される補助体とにより形成され、
前記おむつ本体は、おむつ吸収性コアと、前記ペットの背側に配置される領域であるおむつ背側領域と、当該おむつ背側領域において前記補助体と着脱自在に係止されるおむつ背側係止部と、前記ペットの腹側に配置される領域であるおむつ腹側領域と、当該おむつ腹側領域において前記補助体と着脱自在に係止されるおむつ腹側係止部と、前記ペットの頭部側に向けられる領域であるおむつ頭部側領域と、当該おむつ頭部側領域に形成される開口であるおむつ頭部側開口と、前記ペットの尻尾側に向けられる領域であるおむつ尻尾側領域と、当該おむつ尻尾側領域に形成される開口であるおむつ尻尾側開口と、を有し、
前記補助体は、前記おむつ背側領域に配置される補助体背側領域と、当該補助体背側領域に形成され前記おむつ背側係止部を受ける補助体背側係止部と、前記おむつ腹側領域に配置される補助体腹側領域と、当該補助体腹側領域に形成され前記おむつ腹側領域係止部を受ける補助体腹側係止部と、尻尾挿通用開口と、を有することを特徴とするペット用使い捨ておむつ。
【請求項２】
請求項１に記載されたペット用使い捨ておむつであって、
前記補助体は、前記補助体背側領域と前記補助体腹側領域とに連続される方向である補助体長手方向と、当該補助体長手方向と交差する方向である補助体長手交差方向とにわたり延在されており、
前記補助体背側領域は、前記補助体長手方向上の縁部である補助体背側縁部を有し、
前記補助体腹側領域は、前記補助体長手方向上の縁部である補助体腹側縁部を有することを特徴とするペット用使い捨ておむつ。
【請求項３】
請求項１または２のいずれか１項に記載されたペット用使い捨ておむつであって、
前記補助体は、前記尻尾挿通用開口と前記補助体腹側縁部との間に補助体吸収性コアを有することを特徴とするペット用使い捨ておむつ。
【請求項４】
請求項１〜３のいずれか１項に記載されたペット用使い捨ておむつであって、
前記尻尾挿通用開口は、前記補助体腹側縁部側の縁部である開口腹側縁部を有し、
前記ペット用使い捨ておむつは、前記ペットの尻尾における腹側縁部と肛門との間の領域に前記尻尾挿通用開口の前記開口腹側縁部が配置されるように調節する調節部を有することを特徴とするペット用使い捨ておむつ。
【請求項５】
ペット用使い捨ておむつに用いられる補助体であって、
ペットの股下に配置されるとともに、前記ペットの胴周りに着脱自在に装着されるおむつ本体に対し着脱自在に装着されるように形成され、
前記おむつ本体の背側領域に配置される補助体背側領域と、当該補助体背側領域に形成され前記おむつ背側領域に着脱自在に係止される補助体背側係止部と、前記おむつ本体の腹側領域に配置される補助体腹側領域と、当該補助体腹側領域に形成され前記おむつ本体の腹側領域に着脱自在に係止される係止部補助体腹側係止部と、尻尾挿通用開口と、を有することを特徴とするペット用使い捨ておむつに用いられる補助体。
【請求項６】
請求項５に記載されたペット用使い捨ておむつに用いられる補助体であって、
前記尻尾挿通用開口は、前記補助体腹側領域側の縁部である開口腹側縁部を有し、
前記補助体は、前記ペットの尻尾における腹側縁部と肛門との間の領域に前記尻尾挿通用開口の前記開口腹側縁部が配置されるように調節する調節部を有することを特徴とするペット用使い捨ておむつに用いられる補助体。
【発明の詳細な説明】
【技術分野】
【０００１】
本発明は、ペット用使い捨ておむつおよびペット用使い捨ておむつに用いる補助体に関する。
【背景技術】
【０００２】
犬や猫に代表されるペットを、家屋内で飼育することは一般的である。このため、種々のペット用使い捨ておむつが販売されている。例えば、特開２０１２−１８７０９５号に示される構造のペット用使い捨ておむつが提案されている。
【先行技術文献】
【特許文献】
【０００３】
【特許文献１】特開２０１２−１８７０９５号公報
【発明の概要】
【発明が解決しようとする課題】
【０００４】
特開２０１２−１８７０９５号におけるペット用使い捨ておむつは、ペットの胴周りのみに装着され、所定の効果を発揮する。一方、特開２０１２−１８７０９５号におけるペット用使い捨ておむつは、ペットの股下部分を被覆しないものであった。よって、ペットの大便を保持する効果は期待できなかった。
【０００５】
本発明は、このような点に鑑みて創案されたものであり、排泄物の漏れが生じにくいペット用使い捨ておむつの構築技術を提供することを目的とする。
【課題を解決するための手段】
【０００６】
上記課題を解決するため、本発明に係るペット用使い捨ておむつは、ペットの胴周りに着脱自在に装着されるおむつ本体と、ペットの股下に配置されるとともにおむつ本体に対し着脱自在に装着される補助体とにより形成される。
おむつ本体は、おむつ吸収性コアと、ペットの背側に配置される領域であるおむつ背側領域と、おむつ背側領域において補助体と着脱自在に係止されるおむつ背側係止部と、ペットの腹側に配置される領域であるおむつ腹側領域と、おむつ腹側領域において補助体と着脱自在に係止されるおむつ腹側係止部とを有する。また、おむつ本体は、ペットの頭部側に向けられる領域であるおむつ頭部側領域と、おむつ頭部側領域に形成される開口であるおむつ頭部側開口と、ペットの尻尾側に向けられる領域であるおむつ尻尾側領域と、当該おむつ尻尾側領域に形成される開口であるおむつ尻尾側開口とを有する。
すなわち、おむつ本体は、ペットの胴周りに装着される構造を有しており、ペットの股下領域を被覆しないものである。
補助体は、おむつ背側領域に配置される補助体背側領域と、補助体背側領域に形成されおむつ背側係止部を受ける補助体背側係止部と、おむつ腹側領域に配置される補助体腹側領域と、補助体腹側領域に形成され前記おむつ腹側領域係止部を受ける補助体腹側係止部と、尻尾挿通用開口と、を有する。
すなわち、補助体は、おむつ本体に係止されることにより、ペットの股下領域を被覆するものである。よって、補助体は、ペットの大便を受けることができる。
【０００７】
また本発明に係る解決手段の一態様として、補助体は、補助体背側領域と補助体腹側領域とに連続される方向である補助体長手方向と、補助体長手方向と交差する方向である補助体長手交差方向とにわたり延在されている。補助体背側領域は、補助体長手方向上の縁部である補助体背側縁部を有する。補助体腹側領域は、補助体長手方向上の縁部である補助体腹側縁部を有する。
【０００８】
また本発明に係る解決手段の一態様として、補助体は、尻尾挿通用開口と補助体腹側縁部との間に補助体吸収性コアを有する。
これにより、補助体が受けたペットの排泄物は、補助体吸収性コアにて吸収される。
【０００９】
また本発明に係る解決手段の一態様として、尻尾挿通用開口は、補助体腹側縁部側の縁部である開口腹側縁部を有する。
ペット用使い捨ておむつは、ペットの尻尾における腹側縁部と肛門との間の領域に尻尾挿通用開口の開口腹側縁部が配置されるように調節する調節部を有する。
この調整部によって、ペットの大便が、補助体に確実に保持されることとなる。
【００１０】
上記課題を解決するため、本発明におけるペット用使い捨ておむつに用いられる補助体は、ペットの股下に配置されるとともに、ペットの胴周りに着脱自在に装着されるおむつ本体に対し着脱自在に装着されるように形成される。
補助体は、おむつ本体の背側領域に配置される補助体背側領域と、補助体背側領域に形成されおむつ背側領域に着脱自在に係止される補助体背側係止部と、おむつ本体の腹側領域に配置される補助体腹側領域と、補助体腹側領域に形成されおむつ本体の腹側領域に着脱自在に係止される係止部補助体腹側係止部と、尻尾挿通用開口とを有する。
すなわち、補助体は、おむつ本体に係止されることにより、ペットの股下領域を被覆するものである。よって、補助体は、ペットの大便を受けることができる。
【００１１】
また本発明に係る解決手段の一態様として、尻尾挿通用開口は、補助体腹側領域側の縁部である開口腹側縁部を有する。補助体は、ペットの尻尾における腹側縁部と肛門との間の領域に尻尾挿通用開口の開口腹側縁部が配置されるように調節する調節部を有する。
この調整部によって、ペットの大便が、補助体に確実に保持されることとなる。
【発明の効果】
【００１２】
本発明に係るペット用使い捨ておむつは、おむつ本体と補助体とを有する。よって、ペットの大便を補助体が保持することが可能となる。
本発明に係るペット用使い捨ておむつに用いられる補助体は、ペットの股側領域に配置される。よって、ペットの大便を補助体が保持することが可能となる。
【図面の簡単な説明】
【００１３】
【図１】本発明の実施形態に係るペット用使い捨ておむつの概要を示す説明図である。
【図２】本発明の実施形態に係るおむつ本体を示す平面図である。
【図３】本発明の実施形態に係るおむつ本体を示す説明図である。
【図４】本発明の実施形態に係る補助体を示す平面図である。
【図５】図３のＩ−Ｉ線における断面図である。
【図６】本発明の第１変形例に係る補助体を示す平面図である。
【図７】本発明の第２変形例に係る補助体を示す平面図である。
【図８】本発明の第３変形例に係る補助体を示す平面図である。
【図９】本発明の第４変形例に係る補助体を示す平面図である。
【図１０】本発明の第４変形例に係る補助体の説明図である。
【図１１】図１０のＩＩ−ＩＩ線における断面図である。
【図１２】本発明の第５変形例に係る補助体の平面図である。
【図１３】図１２のＩＩＩ−ＩＩＩ線における断面図である。
【図１４】本発明の第６変形例に係る補助体の平面図である。
【図１５】本発明の第７変形例に係る補助体の平面図である。
【図１６】本発明の第８変形例に係る補助体の平面図である。
【図１７】図１６のＩＶ−ＩＶ線における断面図である。
【図１８】本発明の第８変形例に係る補助体の説明図である。
【図１９】本発明の第９変形例に係る補助体の説明図である。
【図２０】図１９のＶ−Ｖ線における断面に基づく説明図である。
【図２１】本発明の第１０変形例に係る補助体の説明図である。
【図２２】本発明の第１１変形例に係る補助体の説明図である。
【図２３】本発明の第１１変形例に係るおむつ本体の説明図である。
【図２４】本発明の第１２変形例に係る補助体の説明図である。
【図２５】本発明の第１２変形例に係るおむつ本体の説明図である。
【図２６】本発明の第１３変形例に係るおむつ本体の説明図である。
【発明を実施するための最良の形態】
【００１４】
（実施形態におけるペット用使い捨ておむつの概要）
以下に、本発明に係る実施形態の概要を図１により説明する。
図１は、本発明に係るペット用使い捨ておむつＡを示す。本実施の形態において「ペット」とは、脊椎動物（哺乳類、爬虫類、鳥類、両性類）や無脊椎動物を広く包含するが、典型的には猫、犬、ウサギ、ハムスター、馬、牛、豚、山羊といった愛玩動物がこれに該当する。
【００１５】
ペット用使い捨ておむつＡは、ペットＰの胴周りＰ１００に着脱自在に装着されるおむつ本体２００と、ペットＰの股下に配置されるとともにおむつ本体２００に対し着脱自在に装着される補助体１００とにより形成される。
このペット用使い捨ておむつＡが、本発明に係る「ペット用使い捨ておむつ」の一例である。このおむつ本体２００が、本発明に係る「おむつ本体」の一例である。この補助体１００が、本発明に係る「補助体」の一例である。このペットＰが本発明に係る「ペット」の一例である。
【００１６】
おむつ本体２００は、おむつ吸収性コア２５０と、ペットＰの背側に配置される領域であるおむつ背側領域２１０と、おむつ背側領域２１０において補助体２００と着脱自在に係止されるおむつ背側係止部２１１とを有する。また、おむつ本体２００は、ペットＰの腹側に配置される領域であるおむつ腹側領域２２０と、おむつ腹側領域２２０において補助体１００と着脱自在に係止されるおむつ腹側係止部２２１とを有する。
このおむつ吸収性コア２５０が、本発明に係る「おむつ吸収性コア」の一例である。このおむつ背側領域２１０が、本発明に係る「おむつ背側領域」の一例である。このおむつ背側係止部２１１が、本発明に係る「おむつ背側係止部」の一例である。このおむつ腹側領域２２０が、本発明に係る「おむつ腹側領域」の一例である。このおむつ腹側係止部２２１が、本発明に係る「おむつ腹側係止部」の一例である。
【００１７】
また、おむつ本体２００は、ペットＰの頭部Ｐ１１０側に向けられる領域であるおむつ頭部側領域２３０と、おむつ頭部側領域２３０に形成される開口であるおむつ頭部側開口２３１とを有する。頭部側開口２３１は、その開口縁として頭部側開口縁部２３２を有する。また、おむつ本体２００は、ペットＰの尻尾Ｐ１２０側に向けられる領域であるおむつ尻尾側領域２４０と、おむつ尻尾側領域２４０に形成される開口であるおむつ尻尾側開口２４１とを有する。尻尾側開口２４１は、その開口縁として尻尾側開口縁部２４２を有する。
このおむつ頭部側領域２３０が、本発明に係る「おむつ頭部側領域」の一例である。このおむつ頭部側開口２３１が、本発明に係る「おむつ頭部側開口」の一例である。このおむつ尻尾側領域２４０が、本発明に係る「おむつ尻尾側領域」の一例である。このおむつ尻尾側開口２４１が、本発明に係る「おむつ尻尾側開口」の一例である。
【００１８】
補助体１００は、おむつ背側領域２１０に配置される補助体背側領域１１０と、補助体背側領域１００に形成されおむつ背側係止部２１１を受ける補助体背側係止部１１１とを有する。また、補助体１００は、おむつ腹側領域２２０に配置される補助体腹側領域１２０と、補助体腹側領域１２０に形成されおむつ腹側領域係止部２２１を受ける補助体腹側係止部１２１とを有する。また、補助体２００は、ペットＰの尻尾Ｐ１２０が挿通される尻尾挿通用開口１３０を有する。
この補助体背側領域１１０が、本発明に係る「補助体背側領域」の一例である。この補助体背側係止部１１１が、本発明に係る「補助体背側係止部」の一例である。この補助体腹側領域１２０が、本発明に係る「補助体腹側領域」の一例である。この補助体腹側係止部１２１が、本発明に係る「補助体腹側係止部」の一例である。この尻尾挿通用開口１３０が、本発明に係る「尻尾挿通用開口」の一例である。
【００１９】
補助体背側係止部１１１と、おむつ背側係止部２１１とは、互いに着脱自在な構成であれば、周知の構成を適宜使用できるものである。また、補助体腹側係止部１２１と、おむつ腹側係止部２２１とは、互いに着脱自在な構成であれば、周知の構成を適宜使用できるものである。
本発明の実施形態におけるペット用使い捨ておむつＡにおいては、補助体背側係止部１１１と補助体腹側係止部１２１とは、多数のフック部を有するファスニングテープが使用されている。そして、おむつ背側係止部２１１とおむつ腹側係止部２２１とは、このファスニングテープのフック部と係合可能なループ部を有する不織布が使用されている。なお、おむつ本体２００における外装部分全体を、このような構成の不織布にて形成している。
【００２０】
なお、補助体２００とおむつ本体１００とを着脱自在に係止する構成として、一方の係止部にファスニングテープを使用する場合がある。この場合、他方の係止部はファスニングテープのフック部を受けるループ部を設けた、いわゆるターゲットテープを用いることができる。また、補助体２００とおむつ本体１００とを着脱自在に係止する構成として、粘着剤と、粘着剤を受けるフィルムとにより形成することなどもできる。
【００２１】
図１は、おむつ本体２００に対し補助体１００を装着し、ペット用使い捨ておむつＡを形成した状態を示す。すなわち、図１は、補助体背側係止部１１１とおむつ背側係止部２１１とを係止し、補助体腹側係止部１２１とおむつ腹側係止部２２１と係止した状態を示す。
ペット用使い捨ておむつＡをこのように構成することで、ペットＰの股側領域には補助体１００が配置される。よって、ペットＰが大便をした場合であっても、大便は補助体１００に保持される。
一方、ユーザは、おむつ本体２００のみをペットＰに対し着用することもできる。よって、ユーザは、ペットＰの状態や、周囲の状況に応じて、おむつ本体２００に対し補助体１００を装着するか否かを適宜選択することが可能となる。
【００２２】
（おむつ本体の構成）
図２〜図３において、本発明の実施形態に係るおむつ本体２００の概要を説明する。本発明の実施形態に係るおむつ本体２００の基本的な構成は、股下領域を有さずにペットＰの胴周りのみに装着される周知の構成を適宜選択的に使用することができる。
【００２３】
図２はおむつ本体２００を展開した状態を示す。図２に示す状態において、おむつ本体２００は、おむつ背側領域２１０とおむつ腹側領域２２０とを連続する方向と、この方向と交差する方向を有する。おむつ背側領域２１０とおむつ腹側領域２２０とを連続する方向と交差する方向を、おむつ長手方向２００Ｙとする。おむつ長手方向２００Ｙと交差する方向（おむつ背側領域２１０とおむつ腹側領域２２０とを連続する方向）を、おむつ長手交差方向２００Ｘとする。また、おむつ長手方向２００Ｙとおむつ長手交差方向２００Ｘの双方に交差する方向をおむつ厚み方向２００Ｚとする。
おむつ本体２００は、おむつ長手方向２００Ｙと、おむつ長手交差方向２００Ｘと、おむつ厚み方向２００Ｚとに延在される。
【００２４】
おむつ本体２００は、おむつ長手方向２００Ｙ上の縁部である一対のおむつ長手方向縁部２００Ｙ１を有する。おむつ本体２００は、おむつ長手交差方向２００Ｘ上の縁部である一対のおむつ長手交差方向縁部２００Ｘ１を有する。おむつ本体２００は、ペットＰへ装着した状態において、ペット側に向けられるおむつ内側領域２００Ｚ１を有する。おむつ本体２００は、おむつ内側領域２００Ｚ１と対向する領域であるおむつ外側領域２００Ｚ２を有する。
【００２５】
おむつ本体２００は、おむつ長手方向縁部２００Ｙ１を含む領域である、一対のおむつ長手方向縁部領域２００Ｙ１１を有する。おむつ長手方向領域２００Ｙ１１は、一対のおむつ長手方向縁部領域２００Ｙ１１同士を着脱自在に係止するおむつ係止部２６０を有する。おむつ係止部２６０は、一方のおむつ長手方向縁部領域２００Ｙ１１に設けられた一方の係止部２６１と、他方のおむつ長手方向縁部領域２００Ｙ１１に設けられた他方の係止部２６２とを有する。
【００２６】
一方の係止部２６１と他方の係止部２６２とは、互いに着脱自在な構成であれば、周知の構成を適宜使用できるものである。
本発明の実施形態におけるペット用使い捨ておむつＡにおいては、一方の係止部２６１は、多数のフック部を有するファスニングテープが使用されている。なお、一方の係止部２６１は、おむつ内側領域２００Ｚ１に設けられる。
そして、他方の係止部２６２は、このファスニングテープのフック部と係合可能なループ部を有する周知の構成による不織布が使用されている。なお、前述した通り、おむつ本体２００のおむつ外側領域２００Ｚ２は、このような構成の不織布にて形成している。
【００２７】
なお、おむつ係止部２６０を形成する構成として、一方の係止部にファスニングテープを使用する場合がある。この場合は、他方の係止部にファスニングテープのフック部を受けるループ部を設けた、いわゆるターゲットテープを用いることができる。また、おむつ係止部２６０の構成として、粘着剤と、粘着剤を受けるフィルムとにより形成することなどもできる。
【００２８】
おむつ本体２００は、おむつ吸収性コア２５０を有する。よって、ペットＰからの排尿を、おむつ吸収性コア２５０にて保持することができる。
おむつ本体２００は、おむつ長手交差方向縁部２００Ｘ１近傍に、伸縮性弾性部材２７０を有する。この伸縮性弾性部材２７０は、伸長状態にておむつ本体２００に配置される。よって、おむつ本体２００をペットＰに装着した場合、伸縮性弾性部材２７０が収縮する。これにより、特にペットＰの腹側領域において、おむつ本体２００は良好にフィットされる。
【００２９】
おむつ本体２００をペットＰに装着した状態を、図２に示す。ペットＰは、オスである。おむつ本体２００は、おむつ長手方向２００ＹをペットＰの胴体へ巻くことにより、ペットＰに配置される。そして、一方の係止部２６１と他方の係止部２６２とを係止させることにより、おむつ本体２００はペットＰに装着される。
この際、おむつ吸収性コア２５０は、ペットＰの排尿箇所に配置される。よって、おむつ本体２００は、ペットから排泄された尿を、おむつ吸収性コア２５０で保持することができる。
【００３０】
（補助体の構成）
図４〜図５において、本発明の実施形態に係る補助体１００の概要を説明する。
補助体１００は、補助体背側領域１１０と補助体腹側領域１２０とに連続される方向である補助体長手方向１００Ｙと、補助体長手方向１００Ｙと交差する方向である補助体長手交差方向１００Ｘとにわたり延在されている。補助体長手方向１００Ｙと補助体長手交差方向１００Ｘとの双方に交差する方向は、補助体厚み方向１００Ｚとされる。
この補助体長手方向１００Ｙが、本発明に係る「補助体長手方向」の一例である。この補助体長手交差方向１００Ｘが、本発明に係る「補助体長手交差方向」の一例である。
【００３１】
補助体１００は、補助体１００をおむつ本体２００に配置した状態において、ペットＰ側に向けられる領域である補助体内側領域１００Ｚ１と、補助体内側領域１００Ｚ１と対向する領域である補助体外側領域１００Ｚ２とを有する。
補助体背側係止部１１１と、補助体腹側係止部１２１とは、補助体内側領域１００Ｚ１に設けられる。
【００３２】
補助体１００は、補助体長手方向１００Ｙ上における一対の縁部である補助体長手方向縁部１００Ｙ１を有する。補助体１００は補助体長手交差方向１００Ｘ上における一対の縁部である補助体長手交差方向縁部１００Ｘ１を有する。
補助体長手方向縁部１００Ｙ１の内、補助体背側領域１１０に形成される縁部は補助体背側縁部１１０Ｙとされる。補助体長手方向縁部１００Ｙ１の内、補助体腹側領域１２０に形成される縁部は補助体腹側縁部１２０Ｙとされる。
この補助体背側縁部１１０Ｙが、本発明に係る「補助体背側縁部」の一例である。この補助体腹側縁部１２０Ｙが、本発明に係る「補助体腹側縁部」の一例である。
【００３３】
尻尾挿通用開口１３０は、補助体背側縁部１１０Ｙ側の縁部である開口背側縁部１３１と、補助体腹側縁部１２０Ｙ方向の縁部である開口腹側縁部１３２を有する。
なお、尻尾挿通用開口１３０が長円や楕円、三角形や四角形等の多角形、または多角形に類似する形状である場合は、開口背側縁部１３１と開口腹側縁部１３２とを補助体長手方向１００Ｙにおいて連続する開口側縁部１３４が形成される。
なお、本発明の実施形態に係る補助体１００の尻尾挿通用開口１３０は、真円であるため開口側縁部１３４を形成しない。
【００３４】
なお、本発明の実施形態に係る補助体１００においては、尻尾挿通用開口１３０は真円の開口とされる。一方、尻尾挿通用開口１３０の構成はこれのみに限らない。例えば、切込み線を設け、ペットＰの尻尾を挿通させることもできる。この場合は、この切込みが尻尾挿通用開口１３０とされる。
【００３５】
補助体１００において、尻尾挿通用開口１３０の開口背側縁部１３１を通過する補助体長手交差方向１００Ｘと平行な仮想線を開口背側縁部仮想線１３１Ｘとする。尻尾挿通用開口１３０の開口腹側縁部１３２を通過する補助体長手交差方向１００Ｘと平行な仮想線を開口腹側縁部仮想線１３２Ｘとする。開口背側縁部仮想線１３１Ｘと開口腹側仮想線１３２Ｘの間の領域は補助体尻尾側領域１３３とされる。
補助体尻尾側領域１３３は、尻尾挿通用開口１３０が形成されている領域である開口領域１３３１と、尻尾挿通用開口１３０が形成されていない領域である開口非形成領域１３３２とを有する。
なお、後述する通り、ユーザが補助体１００を使用する当初においては尻尾挿通用開口１３０が形成されておらず、ユーザが尻尾挿通用開口１３０を形成する構成がある。
この場合、ユーザが形成した尻尾挿通用開口１３０により、上述と同様に補助体尻尾側領域１３３が形成される。
【００３６】
なお、補助体背側領域１１０は、開口背側縁部仮想線１３１Ｘから補助体背側縁部１１０Ｙに亘る領域とされる。補助体腹側領域１２０は、開口腹側縁部仮想線１３２Ｘから補助体腹側縁部１２０Ｙに亘る領域とされる。
【００３７】
補助体１００は、シート状部材１６０により形成される。シート状部材１６０は、補助体内側領域１００Ｚ１側に配置される第１シート１６１と、補助体外側領域１００Ｚ２側に配置される第２シート１６２とを有する。第１シート１６１と、第２シート１６２の間における所定領域には、補助体吸収性コア１４０が配置される。この補助体吸収性コア１４０が、本発明に係る「補助体吸収性コア」の一例である。
なお、第１シート１６１、第２シート１６２、補助体吸収性コア１４０におけるそれぞれの構成や、それぞれの構成の接続関係などについては、この種の吸収性物品における周知技術を適宜選択し、採用することができる。
【００３８】
以下、第１シート１６１、第２シート１６２、補助体吸収性コア１４０における代表的な構成例を説明する。
第１シート１６１は液透過性を有し、ペットＰからの大便における水分を補助体吸収性コア１４０へと導く。第１シート１６１は、熱可塑性繊維製の不織布にて構成可能であり、例えば、熱可塑性長繊維からなるスパンボンド不織布、熱可塑性短繊維からなるエアスルー不織布、ポイントボンド不織布、または開孔フィルムによって構成することができる。
【００３９】
第２シート１６２は、液不透過性を有する。第２シート１６２は、液不透過性を確実に担保するべく、特に樹脂フィルムシートによって構成されるのが好ましい。この第２シート１６２は、例えば、ポリエチレン、ポリプロピレン、ポリエチレンテレフタレートなどのフィルムを用いて構成可能である。また第２シート１６２に可撓性を持たせる点を考慮した場合には、不織布に撥水剤を塗布したものを用いることもできる。
【００４０】
第１シート１６１と、第２シート１６２と、補助体吸収性コア１４０とは、ホットメルト接着剤により接合される。ホットメルト接着剤は、ＨＭＡ（Ｈｏｔ
Ｍｅｌｔｉｎｇ Ａ
ｄｈｅｓｉｖｅ）とも称される。
【００４１】
補助体吸収性コア１４０は、第１シート１６１と第２シート１６２との間における、尻尾挿通用開口１３０と補助体腹側縁部１２０Ｙとの間に配置される。
補助体吸収性コア１４０は、粒子状や繊維状の高吸収性ポリマーとフラッフパルプとの混合物や、粒子状や繊維状の高吸収性ポリマーとフラッフパルプと熱可塑性剛性樹脂繊維との混合物などにより形成される。また補助体吸収性コア１４０は、吸水性を有する合成樹脂製の発泡体により形成することもできる。
【００４２】
なお、補助体吸収性コア１４０は、達成すべき補助体１００に応じて、さらに種々の構成とすることができる。例えば、補助体吸収性コア１４０を、フラッフパルプのみにより形成することができる。また、補助体吸収性コア１４０を、親水性を有する不織布により形成することができる。また、補助体吸収性コア１４０を、ティッシュペーパーにより形成することができる。
【００４３】
上述したように、このように構成された補助体１００は、おむつ本体２００に着脱自在に係止される。補助体１００をおむつ本体２００に係止し、ペット用使い捨ておむつＡを構成する場合には、補助体背側係止部１１１とおむつ背側係止部２１１とを係止し、補助体腹側係止部１２１とおむつ腹側係止部２２１と係止する。また、ペット用使い捨ておむつＡから補助体１００を取り外す場合には、補助体背側係止部１１１とおむつ背側係止部２１１との係止状態を解除し、補助体腹側係止部１２１とおむつ腹側係止部２２１の係止状態を解除する。
ペット用使い捨ておむつＡをこのように構成することで、ペットＰの股側領域には補助体１００が配置される。よって、ペットＰが大便をした場合であっても、大便は補助体１００に保持される。
【００４４】
本発明に係るペット用使い捨ておむつおよびペット用使い捨ておむつに用いられる補助体は、上記した実施形態に限らない。以下、本発明に係るペット用使い捨ておむつおよびペット用使い捨ておむつに用いられる補助体の変形例につき説明する。
なお、上述した実施形態や、異なる変形例同士に関し、同一の機能を有する構成については同一の名称を使用する。また、同一の構造を有する構成については、同一の符号を付し、その説明を省略する。
また、下記の変形例を示す図６〜図２６については、補助体１００とおむつ本体２００との概要のみを説明する。例えば、補助体１００におけるシート状部材１６０のような構成は省略される。
【００４５】
（第１変形例）
本発明に係る第１変形例を、図６に基づき説明する。
第１変形例に係るペット用使い捨ておむつＡＡ（図示せず）は、実施形態に係るペット用使い捨ておむつＡに比して、補助体の構造が異なる。すなわち、補助体は、大便を保持することを主たる目的とする。よって、補助体は、ペットの肛門を被覆する必要がある。
本発明の第１変形例に係る補助体Ａ１００は、ペットＰの尻尾Ｐ１２０における腹側縁部と肛門との間の領域に、尻尾挿通用開口１３０の開口腹側縁部１３２が配置されるように調節する調節部１５０を有する。この調節部１５０が、本発明に係る「調節部」の一例である。
【００４６】
調節部１５０は、補助体背側領域１１０Ｙから突出される一対の突出部１５１を有する。
なお、突出部１５１の補助体長手方向１００Ｙ上における縁部を、突出部長手方向縁部１５１Ｙとする。突出部１５１の補助体長手交差方向１００Ｘ上における縁部の内、補助体の内側に位置するものを突出部長手交差方向内側縁部１５１Ｘ１とする。従って、補助体背側縁部１１０Ｙは、補助体１００における補助体長手方向１００Ｙ上の背側領域１１０Ｙを形成する縁部の内、突出部長手方向縁部１５１Ｙと、突出部長手交差方向内側縁部１５１Ｘ１とを除いたものとなる。
【００４７】
突出部１５１は、補助体背側領域１１０Ｙと対向する領域である、突出部長手方向縁部１５１Ｙを含む領域に補助体背側係止部１１１を有する。
一対の突出部１５１の間に、尻尾挿通用開口１３０が形成される。さらに、一対の突出部１５１の間に、開口腹側縁部１３２が配置される。すなわち、補助体背側縁部１１０Ｙが、開口腹側縁部１３２とされる。
【００４８】
突出部１５１は、突出部シート状部材１５２により形成される。突出部シート状部材１５２は、熱可塑性長繊維からなるスパンボンド不織布、熱可塑性短繊維からなるエアスルー不織布、ポイントボンド不織布、または開孔フィルムによって構成することができる。
【００４９】
突出部シート状部材１５２は、補助体背側縁部１１０Ｙに固定される。突出部シート状部材１５２と補助体背側縁部１１０Ｙの固定箇所は、固定部１５３を形成する。突出部シート状部材１５２と補助体背側縁部１１０Ｙの固定は、周知の手法を使用することができる。例えば、ホットメルト接着剤などが使用される。
【００５０】
突出部１５１は、伸縮性弾性部材１５４を有することができる。伸縮性弾性部材１５４は、伸長状態にて突出部１５１に配置される。具体的には、例えば一対の突出部シート状部材１５２を用いる。そして、一対の突出部シート状部材１５２の間に伸長状態の伸縮性弾性部材１５４を配置する。その後、一対の突出部シート状部材１５２間を伸縮性弾性部材１５４とともに接着剤などにより固定する。
伸縮性弾性部材１５４は、糸状の合成ゴムや天然ゴムにより構成される。
【００５１】
このように構成された補助体Ａ１００は、第１変形例に係るおむつ本体Ａ２００（図示せず）に装着され、第１変形例に係るペット用使い捨ておむつＡＡ（図示せず）を構成する。なお、第１変形例に係るおむつ本体Ａ２００は、上述した実施形態のおむつ本体２００と同様の構成を有するため、その説明を省略する。
【００５２】
すなわち、補助体Ａ１００を、おむつ本体Ａ２００（図示せず）に係止する。すると、突出部１５１の伸縮性弾性部材１５４が収縮し、補助体背側縁部１１０ＹがペットＰの頭部Ｐ１１０方向へ移動される。補助体背側縁部１１０Ｙ（開口腹側縁部１３２）は、ペットＰの尻尾Ｐ１２０の腹側縁部に当接される。
この結果、ペットＰの尻尾Ｐ１２０における腹側縁部と肛門との間の領域に、尻尾挿通用開口１３０の開口腹側縁部１３２が配置される。
【００５３】
第１変形例に係るペット用使い捨ておむつＡＡにおいては、ペットＰの肛門が補助体Ａ１００にて被覆される。よって、補助体Ａ１００は、ペットＰの大便を保持することができる。
また、調節部１５０である突出部１５１により、ペットＰに対する補助体Ａ１００の位置決めが容易となる。
【００５４】
なお、上述した突出部１５１においては、伸縮性弾性部材１５４を有する構成を説明した。一方、突出部１５１を、伸縮性弾性部材１５４を有さない構成とすることもできる。
【００５５】
（第２変形例）
本発明に係る第２変形例を、図７に基づき説明する。
第２変形例に係るペット用使い捨ておむつＢＡ（図示せず）は、第１変形例に係るペット用使い捨ておむつＡＡに比して、補助体の構造が異なる。すなわち、第１変形例に係るペット用おむつＡＡの補助体Ａ１００は、尻尾挿通用開口１３０の開口腹側縁部１３２が、補助体Ａ１００の補助体背側縁部１１０Ｙにより形成されていた。
これに対し、第２変形例のペット用使い捨ておむつＢＡに係る補助体Ｂ１００は、補助体背側縁部１１０Ｙに切込みが設けられている。この切込みは、切込み部１５５とされる。
【００５６】
第２変形例に係る補助体Ｂ１００は、一対の切込み１５０が設けられる。一対の切込みは、それぞれ内側方向に湾曲される形状とされる。一対の切込み１５０における、補助体腹側領域１２０方向の端部間には、非切込み領域１５６が形成される。この非切込み領域１５６が、尻尾挿通用開口１３０の開口腹側縁部１３２を形成する。
【００５７】
このように構成された補助体Ｂ１００は、第２変形例に係るおむつ本体Ｂ２００（図示せず）に装着され、第２変形例に係るペット用使い捨ておむつＢＡ（図示せず）を構成する。なお、第２変形例に係るおむつ本体Ｂ２００は、上述した実施形態に係るおむつ本体２００と同様の構成を有するため、その説明を省略する。
【００５８】
すなわち、補助体Ｂ１００を、おむつ本体Ｂ２００（図示せず）に係止する。この補助体Ｂ１００とおむつ本体Ｂ２００の係止作業は、開口腹側縁部１２０である非切込み領域１５６と、ペットＰにおける尻尾Ｐ１２０の腹側縁部とを位置決めしつつ行われる。なお、一対の切込み部１５０に挟まれた領域は、ペットＰにおける尻尾Ｐ１２０の股下縁部に当接されるため、めくりあげられる。この結果、非切込み領域１５６は、補助体背側縁部１１０Ｙに対し窪んだ部分となる。よって、ユーザは、開口腹側縁部１２０である非切込み領域１５６と、ペットＰにおける尻尾Ｐ１２０の腹側縁部との位置決めを容易に行うことができる。
【００５９】
補助体Ｂ１００と、おむつ本体Ｂ２００とを係止した状態においては、突出部１５１の伸縮性弾性部材１５４が収縮する。よって、開口腹側縁部１３２は、ペットＰの尻尾Ｐ１２０の腹側縁部に確実に当接される。
この結果、ペットＰの尻尾Ｐ１２０における腹側縁部と肛門との間の領域に、尻尾挿通用開口１３０の開口腹側縁部１３２が配置される。
【００６０】
第２変形例に係るペット用使い捨ておむつＢＡにおいては、ペットＰの肛門が補助体Ｂ１００にて被覆される。よって、補助体Ｂ１００は、ペットＰの大便を保持することができる。
また、調節部１５０である突出部１５１により、ペットＰに対する補助体Ｂ１００の位置決めが容易となる。
【００６１】
なお、上述した切込み部１５５においては、一対の切込み部１５５により非切込み領域１５６を形成する構成を説明した。一方、単一の切込み部１５５により、補助体背側縁部を切欠いて窪みを形成することも可能である。この場合、尻尾挿通用開口１３０の腹側開口縁部１３２は、単一の切込み部１５５により設けられた窪みに形成されることとなる。
【００６２】
（第３変形例）
本発明に係る第３変形例を、図８に基づき説明する。
第３変形例に係るペット用使い捨ておむつＣＡ（図示せず）は、第２変形例に係るペット用使い捨ておむつＢＡに比して、補助体の構造が異なる。すなわち、第２変形例に係るペット用おむつＢＡの補助体Ｂ１００は、突出部１５１が補助体Ｂ１００に対し、固定部１５３にて固定されている構造であった。さらに、突出部１５１に対し、伸縮性弾性部材１５４が設けられていた。
一方、第３変形例に係るペット用使い捨ておむつＣＡの補助体Ｃ１００は、突出部１５１が、補助体背側縁部１１０Ｙから延出されて設けられている。すなわち、突出部１５１は、補助体Ｃ１００の補助体背側領域１１０と一体的に形成されている。
【００６３】
このように構成された補助体Ｃ１００は、第３変形例に係るおむつ本体Ｃ２００（図示せず）に装着され、第３変形例に係るペット用使い捨ておむつＣＡ（図示せず）を構成する。なお、第３変形例に係るおむつ本体Ｃ２００は、上述した実施形態に係るおむつ本体２００と同様の構成を有するため、その説明を省略する。
【００６４】
すなわち、補助体Ｃ１００を、おむつ本体Ｃ２００（図示せず）に係止する。この補助体Ｃ１００とおむつ本体Ｃ２００の係止作業は、開口腹側縁部１２０である非切込み領域１５６と、ペットＰにおける尻尾Ｐ１２０の腹側縁部とを位置決めしつつ行われる。なお、一対の切込み部１５０に挟まれた領域は、ペットＰにおける尻尾Ｐ１２０の股下縁部に当接されるため、めくりあげられる。この結果、非切込み領域１５６は、補助体背側縁部１１０Ｙに対し窪んだ部分となる。よって、ユーザは、開口腹側縁部１２０である非切込み領域１５６と、ペットＰにおける尻尾Ｐ１２０の腹側縁部との位置決めを容易に行うことができる。
【００６５】
この結果、ペットＰの尻尾Ｐ１２０における腹側縁部と肛門との間の領域に、尻尾挿通用開口１３０の開口腹側縁部１３２が配置される。
【００６６】
第３変形例に係るペット用使い捨ておむつＣＡにおいては、ペットＰの肛門が補助体Ｃ１００にて被覆される。よって、補助体Ｃ１００は、ペットＰの大便を保持することができる。
また、調節部１５０である突出部１５１により、ペットＰに対する補助体Ｃ１００の位置決めが容易となる。
【００６７】
なお、上述した切込み部１５５においては、一対の切込み部１５５により非切込み領域１５６を形成する構成を説明した。一方、単一の切込み部１５５により、補助体背側縁部を切欠いて窪みを形成することも可能である。この場合、尻尾挿通用開口１３０の腹側開口縁部１３２は、単一の切込み部１５５により設けられた窪みに形成されることとなる。
【００６８】
（第４変形例）
本発明に係る第４変形例を、図９〜図１１に基づき説明する。
第４変形例に係るペット用使い捨ておむつＤＡ（図示せず）は、実施形態に係るペット用使い捨ておむつＡに比して、補助体の構造が異なる。すなわち、第４変形例に係るペット用おむつＤＡの補助体Ｄ１００は、補助体背側領域１１０を形成する第１本体１００１と、補助体腹側領域１２０を形成する第２本体１００２とを有する。
なお、第４変形例に係るおむつ本体Ｄ２００は、実施形態に係るおむつ本体２００と同様の構成を有する。
【００６９】
第１本体１００１は、おむつ本体Ｄ２００に対し着脱自在に形成された補助体背側係止部１１１と、第２本体１００２に対し着脱自在に形成された第１本体係止部１００１１とを有する。
第２本体１００２は、おむつ本体Ｄ２００に対し着脱自在に形成された補助体腹側係止部１２１と、第１本体係止部１１１を受ける第２本体係止部１００２１と、尻尾挿通用開口１３０の開口腹側縁部１３２とを有する。
調節部１５０は、第１本体１００１と、第２本体１００２とにより形成される。
【００７０】
第１本体係止部１００１１と第２本体係止部１００２１とは、互いに着脱自在な構成であれば、周知の構成を適宜使用できるものである。
本発明の第４変形例におけるペット用使い捨ておむつＤＡにおいては、第１本体係止部１００１１は、多数のフック部を有するファスニングテープが使用されている。なお、第１本体係止部１００１１は、補助体内側領域１００Ｚ１に設けられる。
そして、第２本体係止部１００２１は、このファスニングテープのフック部と係合可能なループ部を有する周知の構成による不織布が使用されている。なお、第２本体１００２の補助体外側領域１００Ｚ２は、このような構成の不織布にて形成されている。
【００７１】
なお、第１本体係止部１００１１もしくは第２本体係止部１００２１を形成する構成として一方の係止部にファスニングテープを使用する場合がある。この場合、他方の係止部は、ファスニングテープのフック部を受けるループ部を設けた、いわゆるターゲットテープを用いることができる。また、第１本体係止部１００１１もしくは第２本体係止部１００２１の構成として、粘着剤と、粘着剤を受けるフィルムとにより形成することなどもできる。
【００７２】
第１本体１００１は、第１本体１００１における補助体長手方向１００Ｙ上の一対の縁部である縁部１００１Ｙを有する。一対の縁部１００１Ｙは、ペットＰの背側方向に位置する第１本体背側縁部１００１Ｙ１と、ペットＰの腹側方向に位置する第１本体腹側縁部１００１Ｙ２とを有する。第１本体１００１は、第１本体背側縁部１００１Ｙ１を含む領域である第１本体背側領域１００１Ｙ１１と、第１本体腹側縁部１００１Ｙ２を含む領域である第１本体腹側領域１００１Ｙ２１とを有する。
また、第１本体１００１は、第１本体１００１における補助体長手交差方向１００Ｘ上の一対の縁部である縁部１００１Ｘを有する。
【００７３】
第２本体１００２は、第２本体１００２における補助体長手方向１００Ｙ上の一対の縁部１００２Ｙを有する。一対の縁部１００２Ｙは、ペットＰの背側方向に位置する第２本体背側縁部１００２Ｙ１と、ペットＰの腹側方向に位置する第２本体腹側縁部１００２Ｙ２とを有する。第２本体１００２は、第２本体背側縁部１００２Ｙ１を含む領域である第２本体背側領域１００２Ｙ１１と、第２本体腹側縁部１００２Ｙ２を含む領域である第２本体腹側領域１００２Ｙ２１とを有する。
また、第２本体１００２は、第２本体１００２における補助体長手交差方向１００Ｘ上の一対の縁部である縁部１００２Ｘを有する。
【００７４】
第１本体１００１は、第１本体腹側領域１００１Ｙ２１から突出される一対の突出部１５１として、第１本体突出部１５１１を有する。第１本体突出部１５１１は、第１本体背側縁部１００１Ｙ１と対向する領域に第１本体係止部１００１１を有する。そして、一対の第１本体突出部１５１１の間に、尻尾挿通用開口１３０が形成される。
【００７５】
第１本体１００１の第１本体腹側領域１００１Ｙ２１の内、第１本体突出部１５１１が形成されていない縁部が、第１本体腹側縁部１００１Ｙ２とされる。この第１本体腹側縁部１００１Ｙ２が、尻尾挿通用開口１３０の開口背側縁部１３１を形成する。第１本体突出部１５１１における補助体長手方向２００Ｙ上の縁部には、第１本体突出部長手方向縁部１５１１Ｙが形成される。
なお、第４変形例において、第１本体突出部１５１１は、第１本体腹側領域１００１Ｙ２１を延出することにより形成される。
【００７６】
第２本体１００２は、第２本体背側領域１００２Ｙ１１から突出される一対の突出部１５１として、第２本体突出部１５１２を有する。第２本体突出部１５１２は、第２本体腹側縁部１００２Ｙ２と対向する領域に前記第２本体係止部１００２１を有する。そして、一対の第２本体突出部１５１２の間に尻尾挿通用開口１３０が形成される。
【００７７】
また、第２本体１００２の第１本体背側領域１００２Ｙ１１の内、第２本体突出部１５１２が形成されていない縁部が、第２本体背側縁部１００２Ｙ１とされる。この第２本体背側縁部１００２Ｙ１が、尻尾挿通開口１３０の開口腹側縁部１３２を形成する。
第２本体突出部１５１２における補助体長手方向２００Ｙ上の縁部には、第２本体突出部長手方向縁部１５１２Ｙが形成される。
なお、第４変形例において、第２本体突出部１５１２は、第２本体背側領域１００２Ｙ１１を延出することにより形成される。
【００７８】
次に、第４変形例に係る補助体Ｄ１００の作用につき図１０〜図１１に基づき説明する。補助体Ｄ１００は、第１本体１００１と、第２本体１００２とを組み合わせることにより形成される。この際、第１本体１００１の第１本体係止部１００１１と、第２本体１００２の第２本体係止部１００２１とを予め係止した後に、おむつ本体Ｄ２００に係止することができる。また、第１本体１００１をおむつ本体Ｄ２００に係止した後に、第２本体１００２を第１本体１００１とおむつ本体Ｄ２００に係止することができる。また、第２本体１００２をおむつ本体Ｄ２００に係止した後に、第１本体１００１を第２本体１００２とおむつ本体Ｄ２００に係止することができる。
すなわち、補助体Ｄ１００は、おむつ本体Ｄ２００に対し、複数の係止パターンを構成することができる。
【００７９】
いずれにせよ、補助体Ｄ１００としてペットＰの大便を保持するためには、第２本体１００２に形成された尻尾挿通用開口１３０の開口腹側縁部１３２と、ペットＰの尻尾Ｐ１２０における腹側縁部との位置決めを行う必要がある。この際、ユーザは、補助体Ｄ１００とおむつ本体Ｄ２００との係止作業において、複数の係止パターンを有するため、自らの好みや、ペットＰの体型に応じた作業を行うことが可能となる。
【００８０】
第４変形例に係るペット用使い捨ておむつＤＡにおいては、ペットＰの肛門が補助体Ｄ１００にて被覆される。よって、補助体Ｄ１００は、ペットＰの大便を保持することができる。
【００８１】
（第５変形例）
本発明に係る第５変形例を、図１２〜図１３に基づき説明する。
第５変形例に係るペット用使い捨ておむつＥＡ（図示せず）は、第４変形例に係るペット用使い捨ておむつＤＡに比して、補助体の構造が異なる。すなわち、第４変形例に係るペット用おむつＤＡの補助体Ｄ１００は、第１本体１００１と第２本体１００２の双方に、突出部１５１が設けられていた。すなわち、第１本体１００１には第１本体突出部１５１１が形成され、第２本体１００２には第２本体突出部１５１２が形成されていた。
【００８２】
これに対し、第５変形例のペット用使い捨ておむつＥＡに係る補助体Ｅ１００は、第１本体１００１に第１本体突出部１５１１が形成されているのみである。
すなわち、第２本体１００２は、第２本体突出部１５１２を有していない。このため、第２本体１００２の第２本体背側縁部１００２Ｙ１が、尻尾挿通開口１３０の開口背側縁部１３２を形成する。
【００８３】
このように構成された補助体Ｅ１００は、第５変形例に係るおむつ本体Ｅ２００（図示せず）に装着され、第５変形例に係るペット用使い捨ておむつＥＡ（図示せず）を構成する。なお、第５変形例に係るおむつ本体Ｅ２００は、上述した実施形態に係るおむつ本体２００と同様の構成を有するため、その説明を省略する。
【００８４】
補助体Ｅ１００は、第１本体１００１と第２本体１００２とに形成されている。よって、おむつ本体Ｅ２００と、補助体Ｅ１００との係止作業に関しては、上述した第４変形例の補助体Ｄ１００と同様に、様々な係止パターンを得ることができる。
一方、補助体Ｅ１００には、第２本体１００２に第２本体突出部１５１２が形成されていない。よって、第５変形例の補助体Ｅ１００は、第４変形例の補助体Ｄ１００に比して、資材ロスが少ないためコストダウンを図ることができる。
【００８５】
第５変形例に係るペット用使い捨ておむつＥＡにおいては、ペットＰの肛門が補助体Ｅ１００にて被覆される。よって、補助体Ｅ１００は、ペットＰの大便を保持することができる。
【００８６】
（第６変形例）
本発明に係る第６変形例を、図１４に基づき説明する。
第６変形例に係るペット用使い捨ておむつＦＡ（図示せず）は、第５変形例に係るペット用使い捨ておむつＥＡに比して、補助体の構造が異なる。すなわち、第５変形例に係るペット用おむつＥＡの補助体Ｅ１００は、第１本体１００１の第１本体腹側領域１００１Ｙ２１を延出することにより第１本体突出部１５１１が形成されていた。
【００８７】
これに対し、第６変形例のペット用使い捨ておむつＦＡに係る補助体Ｆ１００の第１本体突出部１５１１は、第１変形例に係る補助体Ａ１００や、第２変形例変形例に係る補助体Ｂ１００の突出部１５１と同様の構成を有する。すなわち、第１本体突出部１５１１は、突出部シート状部材１５２により形成される。そして、第１本体突出部１５１１は、固定部１５３により第１本体腹側領域１００１Ｙ２１に対し固定される。
なお、第１本体突出部１５１１は、伸縮性弾性部材１５４を有する。この伸縮性弾性部材１５４は、伸長状態にて第１本体突出部１５１１に配置されている。
【００８８】
このように構成された補助体Ｆ１００は、第６変形例に係るおむつ本体Ｆ２００（図示せず）に装着され、第６変形例に係るペット用使い捨ておむつＦＡ（図示せず）を構成する。なお、第６変形例に係るおむつ本体Ｆ２００は、上述した実施形態に係るおむつ本体２００と同様の構成を有するため、その説明を省略する。
【００８９】
補助体Ｆ１００は、第１本体１００１と第２本体１００２とに形成されている。よって、おむつ本体Ｆ２００と、補助体Ｆ１００との係止作業に関しては、上述した第４変形例の補助体Ｄ１００と同様に、様々な係止パターンを得ることができる。
一方、第１本体突出部１５１１は伸縮性弾性部材１５４を有している。よって、おむつ本体Ｆ１００と補助体Ｆ１００を係止した場合には、第２本体１００２が、第１本体１００１へと引き上げられることとなる。よって、尻尾挿通用開口１３０の開口腹側縁部１３２が、ペットＰの尻尾Ｐ１２０における腹側縁部に対し、確実に当接される。
【００９０】
第６変形例に係るペット用使い捨ておむつＦＡにおいては、ペットＰの肛門が補助体Ｆ１００にて被覆される。よって、補助体Ｆ１００は、ペットＰの大便を保持することができる。
【００９１】
（第７変形例）
本発明に係る第７変形例を、図１５に基づき説明する。
第７変形例に係るペット用使い捨ておむつＧＡ（図示せず）は、第６変形例に係るペット用使い捨ておむつＦＡに比して、補助体の構造が異なる。具体的には、突出部１５１の構造が異なる。すなわち、第６変形例に係るペット用おむつＦＡの補助体Ｆ１００は、突出部シート状部材１５２が、第１本体１００１の第１本体腹側領域１００１Ｙ２１に固定されることにより、第１本体突出部１５１１が形成されていた。
【００９２】
これに対し、第７変形例のペット用使い捨ておむつＧＡに係る補助体Ｇ１００は、第２本体１００２に第２本体突出部１５１２を有する。第２本体突出部１５１２は、第１変形例に係る補助体Ａ１００や、第２変形例変形例に係る補助体Ｂ１００の突出部１５１と同様の構成を有する。すなわち、第２本体突出部１５１２は、突出部シート状部材１５２により形成される。そして、第２本体突出部１５１２は、固定部１５３により第２本体背側領域１００２Ｙ１１に対し固定される。
なお、第２本体突出部１５１２は、伸縮性弾性部材１５４を有する。この伸縮性弾性部材１５４は、伸長状態にて第２本体突出部１５１２に配置されている。
【００９３】
このように構成された補助体Ｇ１００は、第７変形例に係るおむつ本体Ｇ２００（図示せず）に装着され、第７変形例に係るペット用使い捨ておむつＧＡ（図示せず）を構成する。なお、第７変形例に係るおむつ本体Ｇ２００は、上述した実施形態に係るおむつ本体２００と同様の構成を有するため、その説明を省略する。
【００９４】
補助体Ｇ１００は、第１本体１００１と第２本体１００２とに形成されている。よって、おむつ本体Ｇ２００と、補助体Ｇ１００との係止作業に関しては、上述した第４変形例の補助体Ｄ１００と同様に、様々な係止パターンを得ることができる。
一方、第２本体突出部１５１２は伸縮性弾性部材１５４を有している。よって、おむつ本体Ｇ２００と補助体Ｇ１００を係止した場合には、第２本体１００２が、第１本体１００１へと引き上げられることとなる。よって、尻尾挿通用開口１３０の開口腹側縁部１３２が、ペットＰの尻尾Ｐ１２０における腹側縁部に対し、確実に当接される。
【００９５】
第７変形例に係るペット用使い捨ておむつＧＡにおいては、ペットＰの肛門が補助体Ｇ１００にて被覆される。よって、補助体Ｇ１００は、ペットＰの大便を保持することができる。
【００９６】
（第８変形例）
本発明に係る第８変形例を、図１６〜図１８に基づき説明する。
第８変形例に係るペット用使い捨ておむつＨＡ（図示せず）は、実施形態に係るペット用使い捨ておむつＡに比して、補助体の構造が異なる。
すなわち、第８変形例に係る補助体Ｈ１００は、調節部１５０を有する。調節部１５０は、開口非形成領域１３３２の所定の領域に対し着脱自在に係止可能な開口非形成領域係止部１５７により形成される。なお、補助体Ｈ１００の尻尾挿通用開口１３０は、開口側縁部１３４を有する。
【００９７】
開口非形成領域係止部１５７と開口非形成領域１３３２とは、互いに着脱自在な構成であれば、周知の構成を適宜使用できるものである。
本発明の第８変形例におけるペット用使い捨ておむつＨＡにおいては、開口非形成領域係止部１５７は、多数のフック部を有するファスニングテープが使用されている。なお、開口非形成領域係止部１５７は、補助体外側領域１００Ｚ２に設けられる。この場合、開口非形成領域係止部１５７に係止される開口非形成領域１３３２は、補助体外側領域１００Ｚ２に形成される。
そして、補助体外側領域１００Ｚ２における開口非形成領域１３３２は、このファスニングテープのフック部と係合可能なループ部を有する周知の構成による不織布が使用されている。なお、補助体Ｈ１００の補助体外側領域１００Ｚ２は、このような構成の不織布にて形成されている。
【００９８】
なお、開口非形成領域係止部１５７もしくは開口非形成領域１３３２の一方の構成としてファスニングテープを使用する場合がある。この場合、他方の構成はファスニングテープのフック部を受けるループ部を設けた、いわゆるターゲットテープを用いることができる。また、開口非形成領域係止部１５７もしくは開口非形成領域１３３２として、粘着剤と、粘着剤を受けるフィルムとにより形成することなどもできる。
【００９９】
開口非形成領域係止部１５７は、補助体長手方向２００Ｙにおける背側領域１１０側の縁部である開口非形成領域係止部背側縁部１５７Ｙ１を有する。また、開口非形成領域係止部１５７は、補助体長手方向２００Ｙにおける腹側領域１２０側の縁部である開口非形成領域係止部腹側縁部１５７Ｙ２を有する。
開口非形成領域係止部背側縁部１５７Ｙ１は、開口腹側縁部仮想線１３２Ｘと同一線上であることが好ましい。開口非形成領域係止部背側縁部１５７Ｙ１が、開口腹側縁部仮想線１３２Ｘの同一線上に存在する場合、開口非形成領域係止部１５７が係止すべき開口非形成領域１３３２が補助体長手方向１００Ｙにおいて最長とされる。よって、ユーザが開口非形成領域係止部１５７と開口非形成領域１３３２とを係止するために選択できる範囲が、補助体長手方向１００Ｙにおいて最大化される。
なお、開口非形成領域係止部背側縁部１５７Ｙ１と開口腹側縁部仮想線１３２Ｘが同一線上ではない場合であっても、両者が互いに近い位置に配置されていれば足りるものである。すなわち、開口非形成領域係止部背側縁部１５７Ｙ１と開口腹側縁部仮想線１３２Ｘとが互いに近い位置に配置されている場合は、開口非形成領域係止部１５７と、開口非形成領域１３３２とを係止できる範囲が、補助体長手方向１００Ｙにおいて最大に近い範囲となる。
【０１００】
第８変形例に係る補助体Ｈ１００の作用つき、図１８に基づき説明する。調整部１５０である、開口非形成領域係止部１５７の開口非形成領域１３３２に対する係止作業は、補助体Ｈ１００とおむつ本体Ｈ２００とを係止した後でも、補助体Ｈ１００とおむつ本体Ｈ２００とを係止する前でも良い。
ユーザは、尻尾挿通開口１３０の開口腹側縁部１３２と、ペットＰの尻尾Ｐ１２０における腹側縁部との位置決めを行う。この際、開口非形成領域１３３２は、折りたたまれる。ユーザは、尻尾挿通開口１３０の開口腹側縁部１３２と、ペットＰの尻尾Ｐ１２０における腹側縁部との位置決めを行った後、開口非形成領域係止部１５７と開口非形成領域１３３２とを係止する。
この、開口非形成領域１３３２を折りたたむ作業により、ユーザは、尻尾挿通開口１３０の開口腹側縁部１３２と、ペットＰの尻尾Ｐ１２０における腹側縁部との位置決めを任意の位置にて行うことができる。
【０１０１】
第８変形例に係るペット用使い捨ておむつＨＡにおいては、ペットＰの肛門が補助体Ｈ１００にて被覆される。よって、補助体Ｈ１００は、ペットＰの大便を保持することができる。
【０１０２】
なお、開口非形成領域係止部１５７を、開口非形成領域１３３２に形成することができる。また、開口非形成領域係止部１５７および開口非形成領域係止部１５７に係止されるべき開口非形成領域１３３２を、補助体内側領域１００Ｚ１に形成することもできる。
【０１０３】
（第９変形例）
本発明に係る第９変形例を、図１９〜図２０に基づき説明する。
第９変形例に係るペット用使い捨ておむつＩＡ（図示せず）は、実施形態に係るペット用使い捨ておむつＡに比して、補助体の構造が異なる。
すなわち、第９変形例に係る補助体Ｉ１００は、調節部１５０を有する。調節部１５０は、補助体尻尾側領域１３３において、非連続状に設けられた複数の切込みによる開口切取り部１５８により形成される。この開口切り取り部１５８における複数の切込みを連続させることにより、尻尾挿通用開口１３０が形成される。
また、開口切取り部１５８は、開口背側縁部１３１から補助体長手方向１００Ｙに延在する開口長手方向切取り部１５８Ｙを有する。開口長手方向切取り部１５８Ｙにおける複数の切込みを連続させることにより、尻尾挿通用開口１３０の開口側縁部１３４が形成される。
【０１０４】
第９変形例に係る補助体Ｉ１００の作用つき、図２０に基づき説明する。開口切り取り部１５８の複数の切込みを連続させる作業は、補助体Ｉ１００とおむつ本体Ｉ２００（図示せず）とを係止した後でも、補助体Ｉ１００とおむつ本体Ｉ２００とを係止する前でも良い。第９変形例に係るおむつ本体Ｉ２００は、実施形態に係るおむつ本体２００と同様の構成であるため、その説明を省略する。
【０１０５】
一方、補助体Ｉ１００の補助体背側係止部１１１もしくは補助体腹側係止部１２１のどちらか一方をおむつ本体Ｉ２００に係止した状態で、作業を行うことが好ましい。この場合、補助体長手方向１００Ｙ１のいずれか一方がおむつ本体Ｉ２００に係止されているため、ユーザは、尻尾挿通開口１３０の開口腹側縁部１３２と、ペットＰの尻尾Ｐ１２０における腹側縁部との位置決めを容易に行うことが可能となる。
【０１０６】
尻尾挿通用開口１３０の形成にあたっては、開口切り取り部１５８における開口背側縁部１３１に相当する部分をユーザが指で保持し、補助体背側領域１１０方向から補助体腹側領域１２０方向へと引き下げる。これによって、開口長手方向切取り部１５８Ｙにおける複数の切込みを連続させることにより、尻尾挿通用開口１３０の開口側縁部１３４が形成される。
そして、ユーザが、ペットＰの尻尾Ｐ１２０における腹側縁部と肛門との間にて、開口長手方向切取り部１５８Ｙにおける複数の切込みを連続させる作業を終了する。これにより、剥離された開口切り取り部１５８の領域における補助体背側領域１１０方向の縁部が、尻尾挿通用開口１３０の開口腹側縁部１３２を形成する。
【０１０７】
第９変形例に係るペット用使い捨ておむつＩＡにおいては、ペットＰの肛門が補助体Ｉ１００にて被覆される。よって、補助体Ｉ１００は、ペットＰの大便を保持することができる。
【０１０８】
なお、図１９および図２１においては、開口長手方向切取り部１５８Ｙが一対である構成を説明した。一方、開口長手方向切取り部１５８は、単一のものでもよい。
【０１０９】
（第１０変形例）
本発明に係る第１０変形例を、図２１に基づき説明する。
第１０変形例に係るペット用使い捨ておむつＪＡ（図示せず）は、第９変形例に係るペット用使い捨ておむつＩＡに比して、補助体の構造が異なる。
すなわち、第１０変形例に係る補助体Ｊ１００は、第９変形例に係る補助体Ｉ１００に比して、一対の開口長手方向切取り部１５８Ｙの間において、補助体長手交差方向１００Ｘに連続する複数の切込みによる開口長手交差方向切取り部１５８Ｘが形成されている。
なお、開口長手交差方向切取り部１５８Ｘは、補助体長手交差方向１００Ｘと平行である必要はない。
【０１１０】
第１０変形例の補助体Ｊ１００の作用にあたっては、第９変形例の補助体Ｉ１００と同様に、まず、開口切り取り部１５８を剥離して尻尾挿通用開口１３０の開口腹側縁部１３２とペットＰの尻尾Ｐ１２０における腹側縁部と肛門との間との位置決めを行う。その後、開口長手交差方向切取り部１５８Ｘにおける複数の切込みを連続させる。これにより、尻尾挿通用開口１３０を形成した後の、開口切り取り部１５８により囲まれていた片を補助体Ｊ１００から分離することができる。
【０１１１】
第１０変形例に係るペット用使い捨ておむつＪＡにおいては、ペットＰの肛門が補助体Ｊ１００にて被覆される。よって、補助体Ｊ１００は、ペットＰの大便を保持することができる。なお、補助体Ｊ１００とともにペット用使い捨ておむつＪＡを形成する、第１０変形例に係るおむつ本体Ｊ２００（図示せず）は、実施形態に係るおむつ本体２００と同様の構成を有する。よって、おむつ本体Ｊ２００の説明を省略する。
【０１１２】
（第１１変形例）
本発明に係る第１１変形例を、図２２〜図２３に基づき説明する。
第１１変形例に係るペット用使い捨ておむつＫＡ（図示せず）は、実施形態に係るペット用使い捨ておむつＡに比して、補助体およびおむつ本体の構造が異なる。
すなわち、第１１変形例に係る補助体Ｋ１００は、尻尾挿通用開口１３０において、開口側縁部１３４を有する。また、おむつ本体Ｋ１００は、おむつ腹側係止部２２１において、おむつ長手交差方向２００Ｘに連続するおむつ腹側長手交差方向係止領域２２２を有する。
調節部１５０は、開口側縁部１３４とおむつ腹側長手交差方向係止領域２２２とにより形成される。
【０１１３】
補助体Ｋ１００の補助体腹側係止部１２１と、おむつ本体Ｋ２００のおむつ腹側係止部２２１において、一方は多数のフック部を有するファスニングテープが使用され、他方はこのフック部を受けるループ部を有するターゲットテープが使用される。また、補助体腹側係止部１２１と、おむつ腹側係止部２２１の一方が多数のフック部を有し、他方がこのフック部を受ける不織布にて形成することもできる。この場合、フック部を受ける不織布にておむつ本体Ｋ２００のおむつ外側領域２００Ｚ２を形成した場合は、おむつ腹側長手交差方向領域２２２が形成されるものとする。
【０１１４】
第１１変形例に係るペット用使い捨ておむつＫＡの作用を説明する。
まず、補助体Ｋ１００の補助体背側係止部１１１と、おむつ本体Ｋ２００のおむつ本体背側係止部２１１とを係止する。その後、尻尾挿通用開口１３０の開口腹側縁部１３２と、ペットＰの尻尾Ｐ１２０における腹側縁部と肛門との間との位置決めを行う。その後、補助体腹側係止部１２１と、おむつ本体腹側係止部２２１とを係止する。この際、尻尾挿通用開口１３０が開口側縁部１３４を有するため、ユーザは尻尾を容易に尻尾挿通用開口１３０に挿通することが可能となる。また、おむつ本体腹側係止部２２１がおむつ本体腹側長手交差方向係止領域２２２を有する。よって、ユーザは、尻尾挿通用開口１３０の開口腹側縁部１３２と、ペットＰの尻尾Ｐ１２０における腹側縁部と肛門との間との位置決めを行った箇所にて、補助体腹側係止部１２１と、おむつ本体腹側係止部２２１とを係止することができる。
【０１１５】
第１１変形例に係るペット用使い捨ておむつＫＡにおいては、ペットＰの肛門が補助体Ｋ１００にて被覆される。よって、補助体Ｋ１００は、ペットＰの大便を保持することができる。
【０１１６】
（第１２変形例）
本発明に係る第１２変形例を、図２４〜図２５に基づき説明する。
第１２変形例に係るペット用使い捨ておむつＬＡ（図示せず）は、実施形態に係るペット用使い捨ておむつＡに比して、補助体およびおむつ本体の構造が異なる。
すなわち、第１２変形例に係る補助体Ｌ１００は、尻尾挿通用開口１３０において、開口側縁部１３４を有する。また、おむつ本体Ｌ１００は、おむつ背側係止部２１１において、おむつ長手交差方向２００Ｘに連続するおむつ背側長手交差方向係止領域２１２を有する。
調節部１５０は、開口側縁部１３４とおむつ背側長手交差方向係止領域２１２とにより形成される。
【０１１７】
補助体Ｌ１００の補助体背側係止部１１１と、おむつ本体Ｌ２００のおむつ背側係止部２１１において、一方は多数のフック部を有するファスニングテープが使用され、他方はこのフック部を受けるループ部を有するターゲットテープが使用される。また、補助体背側係止部１１１と、おむつ背側係止部２１１の一方が多数のフック部を有し、他方がこのフック部を受ける不織布にて形成することもできる。この場合、フック部を受ける不織布にておむつ本体Ｌ２００のおむつ外側領域２００Ｚ２を形成した場合は、おむつ背側長手方向領域２１２が形成されるものとする。
【０１１８】
第１２変形例に係るペット用使い捨ておむつＬＡの作用を説明する。
まず、補助体Ｌ１００の補助体腹側係止部１２１と、おむつ本体Ｋ２００のおむつ本体腹側係止部２２１とを係止する。その後、尻尾挿通用開口１３０の開口腹側縁部１３２と、ペットＰの尻尾Ｐ１２０における腹側縁部と肛門との間との位置決めを行う。その後、補助体背側係止部１１１と、おむつ本体背側係止部２１１とを係止する。この際、尻尾挿通用開口１３０が開口側縁部１３４を有するため、ユーザは尻尾を容易に尻尾挿通用開口１３０に挿通することが可能となる。また、おむつ本体背側係止部２１１がおむつ本体背側長手交差方向係止領域２１２を有する。よって、ユーザは、尻尾挿通用開口１３０の開口腹側縁部１３２と、ペットＰの尻尾Ｐ１２０における腹側縁部と肛門との間との位置決めを行った箇所にて、補助体背側係止部１１１と、おむつ本体背側係止部２１１とを係止することができる。
【０１１９】
第１２変形例に係るペット用使い捨ておむつＬＡにおいては、ペットＰの肛門が補助体Ｌ１００にて被覆される。よって、補助体Ｌ１００は、ペットＰの大便を保持することができる。
【０１２０】
なお、第１１変形例において、おむつ本体Ｋ１００におむつ本体腹側長手交差方向係止領域２２２が形成される構成を説明した。また、第１２変形例において、おむつ本体Ｌ１００におむつ本体背側長手交差方向係止領域２１２が形成される構成を説明した。
一方、おむつ本体として、おむつ本体腹側長手交差方向係止領域２２２と、おむつ本体背側長手交差方向係止領域２１２とを同時に形成することも可能である。
【０１２１】
（第１３変形例）
本発明に係る第１３変形例を、図２６に基づき説明する。
第１３変形例に係るペット用使い捨ておむつＭＡ（図示せず）は、実施形態に係るペット用使い捨ておむつＡに比して、補助体の構造が異なる。
すなわち、第１３変形例に係る補助体Ｍ１００は、補助体吸収性コア１４０を有さない。
【０１２２】
第１３変形例に係るペット用使い捨ておむつＭＡにおいては、補助体吸収性コア１４０を有さずとも、ペットＰの肛門が補助体Ｍ１００にて被覆される。よって、補助体Ｍ１００は、ペットＰの大便を保持することができる。なお、補助体Ｍ１００とともにペット用使い捨ておむつＭＡを形成する、第１３変形例に係るおむつ本体Ｍ２００（図示せず）は、実施形態に係るおむつ本体２００と同様の構成を有する。よって、おむつ本体Ｍ２００の説明を省略する。
【０１２３】
なお、本発明に係るペット用使い捨ておむつおよびペット用使い捨ておむつに使用される補助体の構成は上述した構造に限らないものである。実施形態や第１変形例〜第１３変形例に記載されている構成を、適宜組み合わせることは、もちろん可能である。
【０１２４】
（実施の形態と本発明の各構成要素の対応について）
ペット用使い捨ておむつＡは、本発明に係る「ペット用使い捨ておむつ」の一例である。おむつ本体２００は、本発明に係る「おむつ本体」の一例である。補助体１００は、本発明に係る「補助体」の一例である。ペットＰは、本発明に係る「ペット」の一例である。おむつ吸収性コア２５０は、本発明に係る「おむつ吸収性コア」の一例である。おむつ背側領域２１０は、本発明に係る「おむつ背側領域」の一例である。おむつ背側係止部２１１は、本発明に係る「おむつ背側係止部」の一例である。おむつ腹側領域２２０は、本発明に係る「おむつ腹側領域」の一例である。おむつ腹側係止部２２１は、本発明に係る「おむつ腹側係止部」の一例である。おむつ頭部側領域２３０は、本発明に係る「おむつ頭部側領域」の一例である。おむつ頭部側開口２３１は、本発明に係る「おむつ頭部側開口」の一例である。おむつ尻尾側領域２４０は、本発明に係る「おむつ尻尾側領域」の一例である。おむつ尻尾側開口２４１は、本発明に係る「おむつ尻尾側開口」の一例である。補助体背側領域１１０は、本発明に係る「補助体背側領域」の一例である。補助体背側係止部１１１は、本発明に係る「補助体背側係止部」の一例である。補助体腹側領域１２０は、本発明に係る「補助体腹側領域」の一例である。補助体腹側係止部１２１は、本発明に係る「補助体腹側係止部」の一例である。尻尾挿通用開口１３０は、本発明に係る「尻尾挿通用開口」の一例である。補助体長手方向１００Ｙは、本発明に係る「補助体長手方向」の一例である。補助体長手交差方向１００Ｘは、本発明に係る「補助体長手交差方向」の一例である。補助体背側縁部１１０Ｙは、本発明に係る「補助体背側縁部」の一例である。補助体腹側縁部１２０Ｙは、本発明に係る「補助体腹側縁部」の一例である。補助体吸収性コア１４０は、本発明に係る「補助体吸収性コア」の一例である。調節部１５０は、本発明に係る「調節部」の一例である。
【０１２５】
以上の本発明の特質に鑑み、以下の各種の構成態様が構築できる。
（態様１）
ペット用使い捨ておむつであって、
前記ペット用使い捨ておむつは、ペットの胴周りに着脱自在に装着されるおむつ本体と、前記ペットの股下に配置されるとともに前記おむつ本体に対し着脱自在に装着される補助体とにより形成され、
前記おむつ本体は、おむつ吸収性コアと、前記ペットの背側に配置される領域であるおむつ背側領域と、当該おむつ背側領域において前記補助体と着脱自在に係止されるおむつ背側係止部と、前記ペットの腹側に配置される領域であるおむつ腹側領域と、当該おむつ腹側領域において前記補助体と着脱自在に係止されるおむつ腹側係止部と、前記ペットの頭部側に向けられる領域であるおむつ頭部側領域と、当該おむつ頭部側領域に形成される開口であるおむつ頭部側開口と、前記ペットの尻尾側に向けられる領域であるおむつ尻尾側領域と、当該おむつ尻尾側領域に形成される開口であるおむつ尻尾側開口と、を有し、
前記補助体は、前記おむつ背側領域に配置される補助体背側領域と、当該補助体背側領域に形成され前記おむつ背側係止部を受ける補助体背側係止部と、前記おむつ腹側領域に配置される補助体腹側領域と、当該補助体腹側領域に形成され前記おむつ腹側領域係止部を受ける補助体腹側係止部と、尻尾挿通用開口と、を有することを特徴とするペット用使い捨ておむつ。
【０１２６】
（態様２）
態様１に記載されたペット用使い捨ておむつであって、
前記補助体は、前記補助体背側領域と前記補助体腹側領域とに連続される方向である補助体長手方向と、当該補助体長手方向と交差する方向である補助体長手交差方向とにわたり延在されており、
前記補助体背側領域は、前記補助体長手方向上の縁部である補助体背側縁部を有し、
前記補助体腹側領域は、前記補助体長手方向上の縁部である補助体腹側縁部を有することを特徴とするペット用使い捨ておむつ。
【０１２７】
（態様３）
態様１または２のいずれか１項に記載されたペット用使い捨ておむつであって、
前記補助体は、前記尻尾挿通用開口と前記補助体腹側縁部との間に補助体吸収性コアを有することを特徴とするペット用使い捨ておむつ。
【０１２８】
（態様４）
態様３に記載されたペット用使い捨ておむつであって、
前記補助体吸収性コアは、フラッフパルプと高吸水性ポリマーとの混合物により形成されることを特徴とするペット用使い捨ておむつ。
【０１２９】
（態様５）
態様３に記載されたペット用使い捨ておむつであって、
前記補助体吸収性コアは、フラッフパルプにより形成されることを特徴とするペット用使い捨ておむつ。
【０１３０】
（態様６）
態様３に記載されたペット用使い捨ておむつであって、
前記補助体吸収性コアは、親水性を有する不織布により形成されることを特徴とするペット用使い捨ておむつ。
【０１３１】
（態様７）
態様３に記載されたペット用使い捨ておむつであって、
前記補助体吸収性コアは、ティッシュペーパーにより形成されることを特徴とするペット用使い捨ておむつ。
【０１３２】
（態様８）
態様１〜７のいずれか１項に記載されたペット用使い捨ておむつであって、
前記尻尾挿通用開口は、前記補助体腹側縁部側の縁部である開口腹側縁部を有し、
前記ペット用使い捨ておむつは、前記ペットの尻尾における腹側縁部と肛門との間の領域に前記尻尾挿通用開口の前記開口腹側縁部が配置されるように調節する調節部を有することを特徴とするペット用使い捨ておむつ。
【０１３３】
（態様９）
態様８に記載されたペット用使い捨ておむつであって、
前記調節部は、前記補助体背側領域から突出される一対の突出部を有し、
前記突出部は、前記補助体背側領域と対向する領域に前記補助体背側係止部を有し、
前記一対の突出部の間に前記尻尾挿通用開口の前記開口腹側縁部が配置されることを特徴とするペット用使い捨ておむつ。
【０１３４】
（態様１０）
態様８または９のいずれか１項に記載されたペット用使い捨ておむつであって、
前記開口腹側縁部は、前記補助体背側縁部に形成されることを特徴とするペット用使い捨ておむつ。
【０１３５】
（態様１１）
態様１０に記載されたペット用使い捨ておむつであって、
前記開口腹側縁部は、前記補助体背側縁部に形成された切込みである切込み部により形成されていることを特徴とするペット用使い捨ておむつ。
【０１３６】
（態様１２）
態様９〜１１のいずれか１項に記載されたペット用使い捨ておむつであって、
前記突出部は、突出部シート状部材を前記補助体背側縁部に固定することにより形成されることを特徴とするペット用使い捨ておむつ。
【０１３７】
（態様１３）
態様９〜１１のいずれか１項に記載されたペット用使い捨ておむつであって、
前記突出部は、前記補助体背側縁部を延出することにより形成されることを特徴とするペット用使い捨ておむつ。
【０１３８】
（態様１４）
態様９〜１３のいずれか１項に記載されたペット用使い捨ておむつであって、
前記突出部は、伸縮性弾性部材を有し、
当該伸縮性弾性部材は、伸長状態にて前記突出部に配置されていることを特徴とするペット用使い捨ておむつ。
【０１３９】
（態様１５）
態様１〜１４のいずれか１項に記載されたペット用使い捨ておむつであって、
前記補助体は、前記補助体背側領域を形成する第１本体と、前記補助体腹側領域を形成する第２本体と、を有し、
前記第１本体は、前記補助体背側係止部と、前記第２本体に対し着脱自在に形成された第１本体係止部とを有し、
前記第２本体は、前記補助体腹側係止部と、前記第１本体係止部を受ける第２本体係止部と、前記尻尾挿通用開口の前記開口腹側縁部とを有し、
前記調節部は、前記第１本体と、前記第２本体とにより形成されることを特徴とするペット用使い捨ておむつ。
【０１４０】
（態様１６）
態様１５に記載されたペット用使い捨ておむつであって、
前記第１本体は、当該第１本体における前記補助体長手方向上の一対の縁部を有し、当該一対の縁部は、前記ペットの前記背側方向に位置する第１本体背側縁部と、前記ペットの前記腹側方向に位置する第１本体腹側縁部と、を有し、
前記第２本体は、当該第２本体における前記補助体長手方向上の一対の縁部を有し、当該一対の縁部は、前記ペットの前記背側方向に位置する第２本体背側縁部と、前記ペットの前記腹側方向に位置する第２本体腹側縁部とを有することを特徴とするペット用使い捨ておむつ。
【０１４１】
（態様１７）
態様１５または１６のいずれか１項に記載されたペット用の使い捨ておむつであって、
前記第１本体は、前記第１本体背側縁部を含む領域である第１本体背側領域と、前記第１本体腹側縁部を含む領域である第１本体腹側領域とを有し、
前記第２本体は、前記第２本体背側縁部を含む領域である第２本体背側領域と、前記第２本体腹側縁部を含む領域である第２本体腹側領域とを有することを特徴とするペット用使い捨ておむつ。
【０１４２】
（態様１８）
態様１５〜１７のいずれか１項に記載されたペット用使い捨ておむつであって、
前記第１本体は、前記第１本体腹側領域から突出される一対の第１本体突出部を有し、
前記第１本体突出部は、前記第１本体背側縁部と対向する領域に前記第１本体係止部を有し、
前記一対の第１本体突出部の間に前記尻尾挿通用開口が形成されることを特徴とするペット用使い捨ておむつ。
【０１４３】
（態様１９）
態様１８に記載されたペット用使い捨ておむつであって、
前記第１本体突出部は、第１シート状部材を前記第１本体腹側領域に固定することにより形成されることを特徴とするペット用使い捨ておむつ。
【０１４４】
（態様２０）
態様１８に記載されたペット用使い捨ておむつであって、
前記第１本体突出部は、前記第１本体腹側領域を延出することにより形成されることを特徴とするペット用使い捨ておむつ。
【０１４５】
（態様２１）
態様１５〜２０のいずれか１項に記載されたペット用使い捨ておむつであって、
前記第１補助体突出部は、第１伸縮性弾性部材を有し、
当該第１伸縮性弾性部材は、伸長状態にて前記第１補助体突出部に配置されていることを特徴とするペット用使い捨ておむつ。
【０１４６】
（態様２２）
態様１５〜２１のいずれか１項に記載されたペット用使い捨ておむつであって、
前記第２本体は、前記第２本体背側領域から突出される一対の第２本体突出部を有し、
前記第２本体突出部は、前記第２本体腹側縁部と対向する領域に前記第２本体係止部を有し、
前記一対の第２本体突出部の間に前記尻尾挿通用開口が形成されることを特徴とするペット用使い捨ておむつ。
【０１４７】
（態様２３）
態様２２に記載されたペット用使い捨ておむつであって、
前記第２本体突出部は、第２シート状部材を前記第２本体背側領域に固定することにより形成されることを特徴とするペット用使い捨ておむつ。
【０１４８】
（態様２４）
態様２２に記載されたペット用使い捨ておむつであって、
前記第２本体突出部は、前記第２本体背側領域を延出することにより形成されることを特徴とするペット用使い捨ておむつ。
【０１４９】
（態様２５）
態様２２〜２４のいずれか１項に記載されたペット用使い捨ておむつであって、
前記第２本体突出部は、第２伸縮性弾性部材を有し、
当該第２伸縮性弾性部材は、伸長状態にて前記第２本体突出部に配置されていることを特徴とするペット用使い捨ておむつ。
【０１５０】
（態様２６）
態様１〜１４のいずれか１項に記載されたペット用使い捨ておむつであって、
前記補助体は、前記尻尾挿通用開口の開口背側縁部を通過する補助体長手交差方向の仮想線である開口背側縁部仮想線と、前記尻尾挿通用開口の開口腹側縁部を通過する補助体長手交差方向の仮想線である開口腹側縁部仮想線と、前記開口背側縁部仮想線と前記開口腹側仮想線の間の領域である補助体尻尾側領域と、前記補助体を前記おむつ本体に配置した状態において、前記ペット側に向けられる領域である補助体内側領域と、前記補助体内側領域と対向する領域である補助体外側領域とを有し、
前記補助体尻尾側領域は、前記尻尾挿通用開口が形成されている領域である開口領域と、前記尻尾挿通用開口が形成されていない領域である開口非形成領域と、を有することを特徴とするペット用使い捨ておむつ。
【０１５１】
（態様２７）
態様２６に記載されたペット用使い捨ておむつであって、
前記調節部は、前記開口非形成領域の所定の領域に対し着脱自在に係止可能な開口非形成領域係止部により形成されることを特徴とするペット用使い捨ておむつ。
【０１５２】
（態様２８）
態様２７に記載されたペット用使い捨ておむつであって、
前記開口非形成領域係止部は、前記補助体外側領域に形成されていることを特徴とするペット用使い捨ておむつ。
【０１５３】
（態様２９）
態様２７に記載されたペット用使い捨ておむつであって、
前記開口非形成領域係止部は、前記補助体内側領域に形成されていることを特徴とするペット用使い捨ておむつ。
【０１５４】
（態様３０）
態様２７〜２９のいずれか１項に記載されたペット用使い捨ておむつであって、
前記開口非形成領域係止部は、前記開口非形成領域に形成されていることを特徴とするペット用使い捨ておむつ。
【０１５５】
（態様３１）
態様２６に記載されたペット用使い捨ておむつであって、
前記尻尾挿通用開口は、前記補助体尻尾側領域において、非連続状に設けられた複数の切込みによる開口切取り部により形成され、
前記調節部は、前記開口切取り部により形成されることを特徴とするペット用使い捨ておむつ。
【０１５６】
（態様３２）
態様３１に記載されたペット用使い捨ておむつであって、
前記開口切取り部は、前記開口背側縁部から前記補助体長手方向に延在する開口長手方向切取り部を有することを特徴とするペット用使い捨ておむつ。
【０１５７】
（態様３３）
態様３１または３２のいずれか１項に記載されたペット用使い捨ておむつであって、
前記開口長手方向切取り部は一対にて形成されており、
前記一対の開口長手方向切取り部の間において、前記補助体長手交差方向に連続する複数の切込みによる開口長手交差方向切取り部が形成されていることを特徴とするペット用使い捨ておむつ。
【０１５８】
（態様３４）
態様１〜３３のいずれか１項に記載されたペット用使い捨ておむつであって、
前記尻尾挿通用開口は、前記開口背側縁部と前記開口腹側縁部とを前記補助体長手方向において連続する開口側縁部を有することを特徴とするペット用使い捨ておむつ。
【０１５９】
（態様３５）
態様３４に記載されたペット用使い捨ておむつであって、
前記おむつ背側係止部は、前記おむつ長手交差方向に連続するおむつ背側長手交差方向係止領域を有し、
前記調節部は、前記開口側縁部と前記おむつ背側長手交差方向係止領域とにより形成されることを特徴とするペット用使い捨ておむつ。
【０１６０】
（態様３６）
態様３５に記載されたペット用使い捨ておむつであって、
前記おむつ腹側係止部は、前記おむつ長手交差方向に連続するおむつ腹側長手交差方向係止領域を有し、
前記調節部は、前記開口側縁部と前記おむつ腹側長手交差方向係止領域とにより形成されることを特徴とするペット用使い捨ておむつ。
【０１６１】
（態様３７）
ペット用使い捨ておむつに用いられる補助体であって、
ペットの股下に配置されるとともに、前記ペットの胴周りに着脱自在に装着されるおむつ本体に対し着脱自在に装着されるように形成され、
前記おむつ本体の背側領域に配置される補助体背側領域と、当該補助体背側領域に形成され前記おむつ背側領域に着脱自在に係止される補助体背側係止部と、前記おむつ本体の腹側領域に配置される補助体腹側領域と、当該補助体腹側領域に形成され前記おむつ本体の腹側領域に着脱自在に係止される係止部補助体腹側係止部と、尻尾挿通用開口と、を有することを特徴とするペット用使い捨ておむつに用いられる補助体。
【０１６２】
（態様３８）
態様３７に記載されたペット用使い捨ておむつに用いられる補助体であって、
前記尻尾挿通用開口は、前記補助体腹側領域側の縁部である開口腹側縁部を有し、
前記補助体は、前記ペットの尻尾における腹側縁部と肛門との間の領域に前記尻尾挿通用開口の前記開口腹側縁部が配置されるように調節する調節部を有することを特徴とするペット用使い捨ておむつに用いられる補助体。
【符号の説明】
【０１６３】
１００、Ａ１００、Ｂ１００、Ｃ１００、Ｄ１００、Ｅ１００、Ｆ１００、Ｇ１００、Ｈ１００、Ｉ１００、Ｊ１００、Ｋ１００、Ｌ１００、Ｍ１００  補助体
１００１  第１本体
１００１１  第１本体係止部
１００１Ｘ  長手交差方向上の縁部
１００１Ｙ  長手方向上の縁部
１００１Ｙ１  第１本体背側縁部
１００１Ｙ１１  第１本体背側領域
１００１Ｙ２  第１本体腹側縁部
１００１Ｙ２１  第１本体腹側領域
１００２  第２本体
１００２１  第２本体係止部
１００２Ｘ  長手交差方向上の縁部
１００２Ｙ  長手方向上の縁部
１００２Ｙ１  第２本体背側縁部
１００２Ｙ１１  第２本体背側領域
１００２Ｙ２  第２本体腹側縁部
１００２Ｙ２１  第２本体腹側領域
１００２Ｘ  長手交差方向上の縁部
１００Ｘ  補助体長手交差方向
１００Ｘ１  補助体長手交差方向縁部
１００Ｙ  補助体長手方向
１００Ｙ１  補助体長手方向縁部
１００Ｚ  補助体厚み方向
１００Ｚ１  補助体内側領域
１００Ｚ２  補助体外側領域
１１０  補助体背側領域
１１０Ｙ  補助体背側縁部
１１１  補助体背側係止部
１２０  補助体腹側領域
１２０Ｙ  補助体腹側縁部
１２１  補助体腹側係止部
１３０  尻尾挿通用開口
１３１  開口背側縁部
１３１Ｘ  開口背側縁部仮想線
１３２  開口腹側縁部
１３２Ｘ  開口腹側縁部仮想線
１３３  補助体尻尾側領域
１３３１  開口領域
１３３２  開口非形成領域
１３４  開口側縁部
１４０  補助体吸収性コア
１５０  調節部
１５１  突出部
１５１Ｙ  突出部長手方向縁部
１５１Ｘ１  突出部長手交差方向内側縁部
１５１１  第１本体突出部
１５１１Ｙ  第１本体突出部長手方向縁部
１５１２  第２本体突出部
１５１２  第２本体突出部長手方向縁部
１５２  突出部シート状部材
１５３  固定部
１５４  伸縮性弾性部材
１５５  切込み部
１５６  非切込み領域
１５７  開口非形成領域係止部
１５７Ｙ１  開口非形成領域係止部背側縁部
１５７Ｙ２  開口非形成領域係止部腹側縁部
１５８  開口切取り部
１５８Ｘ  開口長手交差方向切取り部
１５８Ｙ  開口長手方向切取り部
１６０  シート状部材
１６１  第１シート
１６２  第２シート
２００、Ａ２００、Ｂ２００、Ｃ２００、Ｄ２００、Ｅ２００、Ｆ２００、Ｇ２００、Ｈ２００、Ｉ２００、Ｊ２００、Ｋ２００、Ｌ２００、Ｍ２００  おむつ本体
２００Ｘ  おむつ長手交差方向
２００Ｘ１  おむつ長手交差方向縁部
２００Ｙ  おむつ長手交方向
２００Ｙ１  おむつ長手方向縁部
２００Ｙ１１  おむつ長手方向縁部領域
２００Ｚ  おむつ厚み方向
２００Ｚ１  おむつ内側領域
２００Ｚ２  おむつ外側領域
２１０  おむつ背側領域
２１１  おむつ背側係止部
２１２  おむつ背側長手交差方向係止領域
２２０  おむつ腹側領域
２２１  おむつ腹側係止部
２２２  おむつ腹側長手交差方向係止領域
２３０  おむつ頭部側領域
２３１  おむつ頭部側開口
２３２  おむつ頭部側縁部
２４０  おむつ尻尾側領域
２４１  おむつ尻尾側開口
２４２  おむつ尻尾側縁部
２５０  おむつ吸収性コア
２６０  おむつ係止部
２６１  一方の係止部
２６２  他方の係止部
２７０  伸縮性弾性部材
Ａ、ＡＡ、ＢＡ、ＣＡ、ＤＡ、ＥＡ、ＦＡ、ＧＡ、ＨＡ、ＩＡ、ＪＡ、ＫＡ、ＡＬ、ＡＭ  ペット用使い捨ておむつ
Ｐ  ペット
Ｐ１００  胴周り
Ｐ１１０  頭部
Ｐ１２０  尻尾
【図１】
2014226111.tif 000003
【図２】
2014226111.tif 000004
【図３】
2014226111.tif 000005
【図４】
2014226111.tif 000006
【図５】
2014226111.tif 000007
【図６】
2014226111.tif 000008
【図７】
2014226111.tif 000009
【図８】
2014226111.tif 000010
【図９】
2014226111.tif 000011
【図１０】
2014226111.tif 000012
【図１１】
2014226111.tif 000013
【図１２】
2014226111.tif 000014
【図１３】
2014226111.tif 000015
【図１４】
2014226111.tif 000016
【図１５】
2014226111.tif 000017
【図１６】
2014226111.tif 000018
【図１７】
2014226111.tif 000019
【図１８】
2014226111.tif 000020
【図１９】
2014226111.tif 000021
【図２０】
2014226111.tif 000022
【図２１】
2014226111.tif 000023
【図２２】
2014226111.tif 000024
【図２３】
2014226111.tif 000025
【図２４】
2014226111.tif 000026
【図２５】
2014226111.tif 000027
【図２６】
2014226111.tif 000028